(57)【要約】【課題】本発明の課題は、夏場の日中等、外気温度が高いときや、冬場の朝や夜等、外気温度が低いときにおいて室内温度を所定温度まで下げる又は上げる時間を短縮することができる空気調和機および空気調和方法を提供することである。【解決手段】本発明に係る空気調和機１は、空気調和機構２、吹出方向調節機構３６ａ，３６ｂ、外気温度情報取得部２５、第１情報記憶部２９ａおよび制御部６０を備える。空気調和機構は、調和空気を生成する。吹出方向調節機構は、調和空気の吹出方向を調節する。外気温度情報取得部は、外気温度Ｔｏの情報を取得する。第１情報記憶部には、外気温度に対する閾値Ｔｏｃ，Ｔｏｗの情報が記憶される。制御部は、外気温度が閾値以上または閾値以下となった場合、天井や、壁、床等の躯体に向かって調和空気を吹き出させるように吹出方向調節機構を制御する。【選択図】図１
2015230122.tif 000002
【特許請求の範囲】
【請求項１】
調和空気を生成する空気調和機構と、
前記調和空気の吹出方向を調節する吹出方向調節機構と、
外気温度の情報を取得する外気温度情報取得部と、
前記外気温度に対する閾値の情報を記憶する第１情報記憶部と、
前記外気温度が前記閾値以上または前記閾値以下となった場合、第１吹出方向範囲よりも外側の吹出方向である第２吹出方向に前記調和空気を吹き出させるように前記吹出方向調節機構を制御する制御部と
を備える、空気調和機。
【請求項２】
対象物の存否を判断する存否判断部をさらに備え、
前記制御部は、前記外気温度が前記閾値以上または前記閾値以下となり且つ前記存否判断部によって前記対象物が不在であると判断された場合、前記第２吹出方向に前記調和空気を吹き出させるように前記吹出方向調節機構を制御し、前記外気温度が前記閾値以上または前記閾値以下とならず且つ前記存否判断部によって前記対象物が不在であると判断された場合、前記空気調和機構を待機状態とする
請求項１に記載の空気調和機。
【請求項３】
第１条件の情報を記憶する第２情報記憶部をさらに備え、
前記制御部は、前記外気温度が前記閾値以上または前記閾値以下となり且つ前記存否判断部によって前記対象物が不在であると判断された場合、前記第１条件が成立するまで前記第２吹出方向に前記調和空気を吹き出させるように前記吹出方向調節機構を制御する
請求項２に記載の空気調和機。
【請求項４】
調和空気を生成する調和空気生成ステップと、
外気温度が閾値以上または閾値以下となった場合、第１吹出方向範囲よりも外側の吹出方向である第２吹出方向に前記調和空気を吹き出す風向変更ステップと
を備える、空気調和方法。
【発明の詳細な説明】
【技術分野】
【０００１】
本発明は、熱中症抑制対策や防寒対策に有効な空気調和機および空気調和方法に関する。
【背景技術】
【０００２】
過去に「停止状態であっても、人体検知センサで人が検知され且つ室内温度が所定以上となった場合、強制的に室内温度を所定温度以下まで冷房を行う空気調和機」が提案されている（例えば、特開２０１２−２３７４８１号公報参照）。
【先行技術文献】
【特許文献】
【０００３】
【特許文献１】特開２０１２−２３７４８１号公報
【発明の概要】
【発明が解決しようとする課題】
【０００４】
ところで、このような空気調和機は、通常、人体検知センサで人が検知されなくなると、省エネルギーのため停止状態とされる。しかし、例えば、日当たり良好な部屋において夏場の日中等に少しの時間でも空気調和機が停止されると、室内温度が直ちに上昇してしまうおそれがある。そして、再度、人体検知センサで人が検知されると、空気調和機が冷房運転を開始するが、室内温度が上がり切っていれば、そのときの室内温度を所定温度まで下げるのにかなりの時間がかかってしまう場合がある。
【０００５】
また、逆に、日当たりが悪い部屋において冬場の朝や夜等に少しの時間でも暖房運転中の空気調和機が停止されると、室内の温度が直ちに低下してしまうおそれがある。そして、再度、人体検知センサで人が検知されると、空気調和機が暖房運転を開始するが、室内温度が下がり切っていれば、そのときの室内温度を所定温度まで上げるのに時間がかかってしまう場合がある。
【０００６】
本発明の課題は、上述のような環境下において室内温度を所定温度まで下げる又は上げる時間を短縮することができる空気調和機および空気調和方法を提供することである。
【課題を解決するための手段】
【０００７】
本発明の第１局面にかかる空気調和機は、空気調和機構、吹出方向調節機構、外気温度情報取得部、第１情報記憶部および制御部を備える。空気調和機構は、調和空気を生成する。なお、ここにいう空気調和機構は、特に限定されないが、例えば、圧縮機構および膨張機構を含む空気調和機構等である。吹出方向調節機構は、調和空気の吹出方向を調節する。外気温度情報取得部は、外気温度の情報を取得する。なお、外気温度情報取得部は、外気温度センサから外気温度の情報を取得してもよいし、ネットワーク経由で気象庁等の外部データベースから外気温度の情報を取得してもよい。第１情報記憶部には、外気温度に対する閾値の情報が記憶される。制御部は、外気温度が閾値以上または閾値以下となった場合、第２吹出方向に調和空気を吹き出させるように吹出方向調節機構を制御する。なお、第２吹出方向とは、第１吹出方向範囲よりも外側の吹出方向である。また、ここで、第１吹出方向範囲は、調和空気を室内空間へ吹き出す方向の範囲であり、第２吹出方向は、調和空気を外壁や、天井、床等の躯体へ直接的に吹き出す方向である。そして、ここで外気温度が閾値以上となる場合は、空気調和機構が冷房運転している場合を想定しており、外気温度が閾値以下となる場合は、空気調和機構が暖房運転している場合を想定している。また、制御部は、外気温度が閾値以上または閾値以下とならなかった場合、空気調和機構を待機状態としてもよい。
【０００８】
本発明の第２局面にかかる空気調和機は、第１局面にかかる空気調和機であって、存否判断部をさらに備える。存否判断部は、対象物の存否を判断する。なお、ここにいう「対象物」とは、例えば、人やペット等の動物である。そして、制御部は、外気温度が閾値以上または閾値以下となり且つ存否判断部によって対象物が不在であると判断された場合、第２吹出方向に調和空気を吹き出させるように吹出方向調節機構を制御し、外気温度が閾値以上または閾値以下とならず且つ存否判断部によって対象物が不在であると判断された場合、空気調和機構を待機状態とする。
【０００９】
本発明の第３局面にかかる空気調和機は、第１局面にかかる空気調和機であって、第２情報記憶部をさらに備える。なお、この第２情報記憶部は、物理的に第１情報記憶部と同一であってもよいし、異なっていてもよい。第２情報記憶部には、第１条件の情報が記憶される。ここにいう第１条件とは、時間や、外気温度、室内温度、外気温度と室内温度の温度差またはそれらの組合せ等によって得られるパラメータ等である。そして、制御部は、外気温度が閾値以上または閾値以下となり且つ存否判断部によって対象物が不在であると判断された場合、第１条件が成立するまで第２吹出方向に調和空気を吹き出させるように吹出方向調節機構を制御する。
【００１０】
本発明の第４局面にかかる空気調和方法は、調和空気生成ステップおよび風向変更ステップを備える。調和空気生成ステップでは、調和空気が生成される。風向変更ステップでは、外気温度が閾値以上または閾値以下となった場合、第１吹出方向範囲よりも外側の吹出方向である第２吹出方向に調和空気が吹き出される。
【発明の効果】
【００１１】
本発明にかかる空気調和機では、上述の通り、外気温度が閾値以上または閾値以下となった場合、制御部が、第２吹出方向に調和空気を吹き出させるように吹出方向調節機構を制御する。このため、この空気調和機は、例えば、夏場の日中等、外気温度が高いときに日当たり良好な部屋において外壁や、天井、床等の躯体を直接冷却することによって室内温度が直ちに上昇してしまうことを抑制することができ、また、冬場の朝や夜等、外気温度が低いときに日当たりが悪い部屋において外壁や、天井、床等の躯体を直接加熱することによって室内温度が直ちに低下してしまうことを抑制することができる。したがって、本発明にかかる空気調和機は、上述の環境下において室内温度を所定温度まで下げる又は上げる時間を短縮することができる。
【図面の簡単な説明】
【００１２】
【図１】第１の実施の形態にかかる空気調和機の概略構成図である。なお、本図では、四路切換弁が冷房運転状態となっている。
【図２】第１の実施の形態にかかる空気調和機の概略構成図である。なお、本図では、四路切換弁が暖房運転状態となっている。
【図３】第１の実施の形態にかかる空気調和機のハードウェア構成を表わすブロック図である。
【図４】第１の実施の形態にかかる空気調和機の熱中症抑制・防寒対策制御の主要部分を示すフローチャートである。
【図５】第１の実施の形態にかかる空気調和機の熱中症抑制・防寒対策制御の一部分を示すフローチャートである。
【図６】第１の実施の形態にかかる空気調和機の熱中症抑制・防寒対策制御の一部分を示すフローチャートである。
【図７】第１の実施の形態にかかる空気調和機の熱中症抑制・防寒対策制御の一部分を示すフローチャートである。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
−第１の実施の形態−
＜空気調和機の全体構成と動作概要＞
【００１５】
まず、本実施の形態にかかる空気調和機１の全体構成と基本的な動作概要とについて説明する。
【００１６】
本実施の形態にかかる空気調和機１は、セパレート式の空気調和機であって、図１に示されるように、主に、室外機１０、室内機３０およびリモートコントローラ５０から構成されている。なお、図１に示されるように、空気調和機１は、室内機３０と室外機１０とが液側連絡配管４１およびガス側連絡配管４２を介して接続されることによって構成されている。以下、室外機１０、室内機３０、リモートコントローラ５０、液側連絡配管４１およびガス側連絡配管４２について詳述する。
【００１７】
（１）室外機
室外機１０は、図１に示されるように、主に、筐体１１、圧縮機１２、四路切換弁１３、室外側熱交換器１４、膨張弁１５、室外側送風機１６、液側冷媒配管１７、ガス側冷媒配管１８、二方弁１９、三方弁２０、温度検出器２１〜２５および室外側制御器２９から構成されている。なお、この室外機１０は、屋外に設置されている。
【００１８】
図１に示されるように、筐体１１には、圧縮機１２、四路切換弁１３、室外側熱交換器１４、膨張弁１５、室外側送風機１６、液側冷媒配管１７、ガス側冷媒配管１８、二方弁１９、三方弁２０、温度検出器２１〜２５および室外側制御器２９等が収納されている。
【００１９】
圧縮機１２は、図１に示されるように、吐出管１２ａおよび吸入管１２ｂを有している。吐出管１２ａおよび吸入管１２ｂは、それぞれ、四路切換弁１３の異なる接続口に接続されている。また、圧縮機１２は、通信線を介して室外側制御器２９に通信接続されており、室外側制御器２９から送信される制御信号に従って動作する。圧縮機１２は、運転時、吸入管１２ｂから低圧の冷媒ガスを吸入し、その冷媒ガスを圧縮して高圧の冷媒ガスを生成した後、その高圧の冷媒ガスを吐出管１２ａから吐出する。なお、本実施の形態において、この圧縮機１２の制御形式は、特に限定されず、定速式の圧縮機であってもよいし、インバータ式の圧縮機であってもよい。
【００２０】
四路切換弁１３は、図１に示されるように、冷媒配管を介して圧縮機１２の吐出管１２ａおよび吸入管１２ｂ、室外側熱交換器１４ならびに室内側熱交換器３２に接続されている。また、この四路切換弁１３は、通信線を介して室外側制御器２９に通信接続されており、室外側制御器２９から送信される制御信号に従って動作する。四路切換弁１３は、運転時、室外側制御部２９から送信される制御信号に従って、室外側制御器圧縮機１２の吐出管１２ａを室外側熱交換器１４に連結させると共に圧縮機１２の吸入管１２ｂを室内側熱交換器３２に連結させる冷房運転状態（図１参照）と、室外側制御器圧縮機１２の吐出管１２ａを室内側熱交換器３２に連結させると共に圧縮機１２の吸入管１２ｂを室外側熱交換器１４に連結させる暖房運転状態（図２参照）とに切り換わる。
【００２１】
室外側熱交換器１４は、左右両端で複数回折り返された伝熱管（図示せず）に多数の放熱フィン（図示せず）が取り付けられたものであって、冷房運転時（図１参照）には凝縮器として機能し、暖房運転時（図２参照）には蒸発器として機能する。
【００２２】
膨張弁１５は、開度制御の可能な電子膨張弁であって、液側冷媒配管１７を介して二方弁１９に接続されると共に、他の液側冷媒配管を介して室外側熱交換器１４に接続されている。また、この膨張弁１５は、通信線を介して室外側制御器２９に通信接続されており、室外側制御器２９から送信される制御信号に従って動作する。膨張弁１５は、運転時において、凝縮器（冷房時は室外側熱交換器１４であり、暖房時は室内側熱交換器３２である）から流出する高温高圧の液冷媒を蒸発しやすい状態に減圧すると共に、蒸発器（冷房時は室内側熱交換器３２であり、暖房時は室外側熱交換器１４である）への冷媒供給量を調節する役目を担っている。
【００２３】
室外側送風機１６は、主に、プロペラファンおよびモータから構成されている。プロペラファンは、モータによって回転駆動され、屋外の外気を室外側熱交換器１４に供給する。モータは、図１に示されるように、通信線を介して室外側制御器２９に通信接続されており、室外側制御器２９から送信される制御信号に従って動作する。
【００２４】
液側冷媒配管１７は、図１に示されるように、膨張弁１５から二方弁１９に向かって延びる配管である。ガス側冷媒配管１８は、図１に示されるように、四路切換弁１３から三方弁２０に向かって延びる配管である。
【００２５】
二方弁１９は、図１に示されるように、液側冷媒配管１７の端部に配設されている。この二方弁１９には、図１に示されるように、液側連絡配管４１が接続される。なお、二方弁１９は、室外機１０から液側連絡配管４１が取り外されるときに閉じられ、冷媒が室外機１０から外部に漏れることを防ぐ。
【００２６】
三方弁２０は、図１に示されるように、ガス側冷媒配管１８の端部に配設されている。この三方弁２０には、図１に示されるように、ガス側連絡配管４２が接続される。なお、三方弁２０は、室外機１０からガス側連絡配管４２が取り外されるときに閉じられ、冷媒が室外機１０から外部に漏れることを防ぐ。また、室外機１０から、あるいは室内機３０を含めた冷凍サイクル全体から、冷媒を回収する必要があるときは、三方弁２０を通じて冷媒の回収が行われる。
【００２７】
温度検出器２１〜２５は、サーミスタである。温度検出器２１は室外側熱交換器１４に配置されており、温度検出器２２は圧縮機１２の吐出管１２ａに配置されており、温度検出器２３は圧縮機１２の吸入管１２ｂに配置されており、温度検出器２４は膨張弁１５と二方弁１９との間の冷媒配管に配置されており、温度検出器（外気温度情報取得部）２５は外気温度測定用であって筐体１１の内部の所定箇所に配置されている。これらの温度検出器２１〜２５は、図１に示されるように、全て、通信線を介して室外側制御器２９に通信接続されており、計測温度情報を室外側制御器２９に送信している。
【００２８】
室外側制御器２９は、図３に示されるように、主に、中央処理演算部２９ｂ、記憶部（第１情報記憶部，第２情報記憶部）２９ａ、タイマ２９ｄおよび通信部２９ｃから構成されている。これらのコンポーネント２９ａ〜２９ｄは、相互にバス接続されている。また、室外側制御器２９は、図１に示されるように通信線を介して圧縮機１２、四路切換弁１３、膨張弁１５、室外側送風機１６および温度検出器２１〜２５に通信接続されている。中央処理演算部２９ｂは、随時、温度検出器２１〜２５の出力情報や、記憶部２９ａに記憶される種々の制御パラメータ等を演算処理して適切な制御パラメータを導出し、その制御パラメータを、通信部２９ｃを介して圧縮機１２や、四路切換弁１３、膨張弁１５、室外側送風機１６に送信する。また、中央処理演算部２９ｂは、必要に応じて、通信部２９ｃを介して制御パラメータ等を室内側制御器３５に送信したり、受信したりする。記憶部２９ａには、制御パラメータ等が記憶されている。なお、本実施の形態において、この記憶部２９ａには、冷房時基準外気温度（閾値）Ｔｏｃ、暖房時基準外気温度（閾値）Ｔｏｗ、冷房時天井吹付水平風向板角度、暖房時床吹付水平風向板角度、壁吹付垂直風向板角度等の情報が格納されている。冷房時天井吹付水平風向板角度は、冷房自動運転時において冷却空気を天井に直接吹き付けるための水平フラップ３６ａの水平風向板の角度を規定したものであって、自動運転以外の運転モードにおける水平フラップ３６ａ（後述）の水平風向板の可動角度範囲の最大角度よりも大きい角度とされている。暖房時床吹付水平風向板角度は、暖房自動運転時において加熱空気を床や壁に直接吹き付けるための水平フラップ３６ｂの水平風向板の角度を規定したものであって、自動運転以外の運転モードにおける水平フラップ３６ａ（後述）の水平風向板の可動角度範囲の最小角度よりも小さい角度とされている。壁吹付垂直風向板角度は、自動運転時において冷却空気または加熱空気を壁に直接吹き付けるための垂直フラップ３６ｂの垂直風向板の角度を規定したものであって、自動運転以外の運転モードにおける垂直フラップ３６ｂ（後述）の垂直風向板の可動角度範囲の外側の角度とされている。また、記憶部２９ａは、中央処理演算部２９ｂの指令に従って、中央処理演算部２９ｂから送信される制御パラメータ等を記憶する場合もある。タイマ２９ｄは、中央処理演算部２９ｂの指令に従って、時間を計測し、その計測信号を中央処理演算部２９ｂや記憶部２９ａに送信する。なお、このタイマ２９ｄは、ソフトウェアタイマであってもかまわない。この室外側制御器２９は、通信部２９ｃ，３５ｃを介して室内側制御器３５に通信接続されており、室内側制御器３５と共に１つの制御部６０を構成しているとも言える。
【００２９】
（２）室内機
室内機３０は、図１に示されるように、主に、筐体３１、室内側熱交換器３２、室内側送風機３３、水平フラップ（吹出方向調節機構）３６ａ、垂直フラップ（吹出方向調節機構）３６ｂ（図３参照）、温度検出器３４，３７および室内側制御器３５から構成されている。なお、この室内機３０は、室内に設置されている。
【００３０】
図１に示されるように、筐体３１には、室内側熱交換器３２、室内側送風機３３、温度検出器３４，３７および室内側制御器３５等が収納されている。また、水平フラップ３６ａの水平風向板は、筐体３１の一部を構成している。
【００３１】
室内側熱交換器３２は、図１に示されるように、３個の熱交換器３２Ａ、３２Ｂ、３２Ｃを、室内側送風機３３を覆う屋根のように組み合わせたものである。なお、各熱交換器３２Ａ、３２Ｂ、３２Ｃは、左右両端で複数回折り返された伝熱管（図示せず）に多数の放熱フィン（図示せず）が取り付けられたものであって、冷房運転時（図１参照）には蒸発器として機能し、暖房運転時（図２参照）には凝縮器として機能する。
【００３２】
室内側送風機３３は、主に、クロスフローファンおよびモータから構成されている。クロスフローファンは、モータによって回転駆動され、室内の空気を筐体３１に吸い込んで室内側熱交換器３２に供給すると共に、室内側熱交換器３２で熱交換された空気を室内に送出する。モータは、図１に示されるように、通信線を介して室内側制御器３５に通信接続されており、室内側制御器３５から送信される制御信号に従って動作する。
【００３３】
水平フラップ３６ａは、水平風向板およびモータから構成されている。水平風向板は、モータによって上下方向に回動され、クロスフローファンによって室内に送出される空気を上下方向に調節する。モータは、図１に示されるように、通信線を介して室内側制御器３５に通信接続されており、室内側制御器３５から送信される制御信号に従って動作する。
【００３４】
垂直フラップ３６ｂは、複数の垂直風向板およびモータから構成されている。垂直風向板は、モータによって左右方向に回動され、クロスフローファンによって室内に送出される空気を左右方向に調節する。モータは、通信線を介して室内側制御器３５に通信接続されており、室内側制御器３５から送信される制御信号に従って動作する。
【００３５】
温度検出器３４，３７は、サーミスタである。温度検出器３４は室内側熱交換器３２に配置されており、温度検出器３７は、室内温度測定用であって筐体内の吸込口付近に配置されている。温度検出器３４，３７は、図１に示されるように、通信線を介して室内側制御器３５に通信接続されており、計測温度情報を室内側制御器３５に送信している。
【００３６】
室内側制御器３５は、図１および図３に示されるように、主に、中央処理演算部３５ｂ、赤外線受光部３５ａ、通信部３５ｃ、人検出部（存否判断部）３５ｄから構成されている。これらのコンポーネント３５ａ〜３５ｄは、相互にバス接続されている。また、室内側制御器３５は、図１に示されるように、通信線を介して室内側送風機３３、水平フラップ３６ａ、垂直フラップ３６ｂおよび温度検出器３４，３７に通信接続されている。中央処理演算部３５ｂは、随時、リモートコントローラ５０からの制御信号や、温度検出器３４，３７の出力情報等を演算処理して適切な制御パラメータを導出し、その制御パラメータ等を、通信部３５ｃを介して室内側送風機３３や、水平フラップ３６ａ、垂直フラップ３６ｂに送信する。また、中央処理演算部３５ｂは、必要に応じて、通信部３５ｃを介して制御パラメータ等を室外側制御器２９に送信したり、室外側制御器２９から制御パラメータ等を受信したりする。赤外線受光部３５ａは、リモートコントローラ５０から発生される点滅赤外線を受光するものである。この赤外線受光部３５ａは、点滅赤外線を信号化処理し、生成した信号を中央処理演算部３５ｂに送信する。人検出部３５ｄは、例えば、各種カメラや赤外線センサ等であって、室内機３０の近傍空間において人の存否を検出する。
【００３７】
なお、図１に示されるように、室外機１０の圧縮機１２、四路切換弁１３、室外側熱交換器１４および膨張弁１５、ならびに室内機３０の室内側熱交換器３２は、冷媒配管によって順次接続され、冷媒回路を構成している。本実施の形態において、この冷媒回路、室外側送風機１６および室内側送風機３３を併せて空気調和機構と称し、図１および図２中において符号２で示す。
【００３８】
（３）リモートコントローラ
リモートコントローラ５０は、点滅赤外線を利用してユーザの指令を室内機３０の室内側制御器３５に伝達するためのものであって、主に、赤外線発光部、表示パネル、運転停止ボタン、モード切換ボタン、温度上昇ボタン、温度下降ボタン、風量上昇ボタン、風量下降ボタン、風向調節ボタン、自動運転ボタン等から構成されている。
【００３９】
表示パネルには、設定温度や、風向、風量、運転モード等の情報が表示される。このため、ユーザは、表示パネルを確認にすることによって、現在の空気調和機１の運転状態を確認することができる。
【００４０】
運転停止ボタンは、運転中にユーザによって押圧されると、赤外線発光部に対して、空気調和機１を停止させる点滅パターンの赤外線を発光させ、停止中にユーザによって押圧されると、赤外線発光部に対して、空気調和機１を運転させる点滅パターンの赤外線を発光させる。なお、空気調和機１が停止状態となると、室内側制御器３５ａ（人検出部３５ｄも含む）も含めて全ての構成機器が停止状態となる。
【００４１】
モード切換ボタンは、運転中にユーザによって押圧される度に、赤外線発光部に対して、順に、空気調和機１を冷房モードで運転する点滅パターンの赤外線、空気調和機１を除湿モードで運転する点滅パターンの赤外線、空気調和機１を暖房モードで運転する点滅パターンの赤外線、空気調和機１を送風モードで運転する点滅パターンの赤外線を発光させる。なお、この空気調和機１において、室外側制御器２９の記憶部２９ａには、各運転モードの制御パターンが予め記憶されている。
【００４２】
温度上昇ボタンは、ユーザによって押圧される度に、赤外線発光部に対して、設定温度を１℃上昇させる点滅パターンの赤外線を発光させる。また、温度下降ボタンは、ユーザによって押圧される度に、赤外線発光部に対して、設定温度を１℃下降させる点滅パターンの赤外線を発光させる。
【００４３】
風量上昇ボタンは、ユーザによって押圧される度に、赤外線発光部に対して、風量を１段階上のレベルまで上昇させる点滅パターンの赤外線を発光させる。また、風量下降ボタンは、ユーザによって押圧される度に、赤外線発光部に対して、風量を一段階下のレベルまで下降させる点滅パターンの赤外線を発光させる。
【００４４】
風向調節ボタンは、ユーザによって押圧される度に、赤外線発光部に対して、風向板を段階的に上方に移動させる点滅パターンの赤外線を発光させる。なお、風向板が最高位に位置している場合にユーザによって風向調節ボタンが押圧されると、赤外線発光部は、風向板を最下位に移動させる点滅パターンの赤外線を発光する。
【００４５】
自動運転ボタンは、ユーザによって押圧されると、赤外線発光部に対して、空気調和機１を自動運転させる点滅パターンの赤外線を発光させる。
【００４６】
（４）液側連絡配管
液側連絡配管１７はガス側連絡配管１８よりも細い管であって、運転時、この液側連絡配管１７には、液冷媒が流れる。なお、冷媒としては、例えば、ＨＦＣ系のＲ４１０ＡやＲ３２等が用いられる。
【００４７】
（５）ガス側連絡配管
ガス側連絡配管１８は液側連絡配管１７よりも太い管であって、運転時、このガス側連絡配管１８には、ガス冷媒が流れる。
【００４８】
＜空気調和機の基本的な動作＞
以下、本実施の形態にかかる空気調和機１の冷房運転および暖房運転について詳述する。
【００４９】
（１）冷房運転
冷房運転では、四路切換弁１３が図１に示される状態、すなわち、圧縮機１２の吐出管１２ａが室外側熱交換器１４に接続され、かつ、圧縮機１２の吸入管１２ｂが室内側熱交換器３２に接続された状態となる。また、このとき、二方弁１９および三方弁２０は開状態とされている。この状態で、圧縮機１２が起動されると、ガス冷媒が、圧縮機１２に吸入され、圧縮された後、四路切換弁１３を経由して室外側熱交換器１４に送られ、室外側熱交換器１４において冷却され、液冷媒となる。その後、この液冷媒は、膨張弁１５に送られ、減圧されて気液二相状態となる。気液二相状態の冷媒は、二方弁１９を経由して室内側熱交換器３２に供給され、室内空気を冷却するとともに蒸発されてガス冷媒となる。最後に、そのガス冷媒は、三方弁２０および四路切換弁１３を経由して、再び、圧縮機１２に吸入される。
【００５０】
（２）暖房運転
暖房運転では、四路切換弁１３が図２に示される状態、すなわち、圧縮機１２の吐出管１２ａが室内側熱交換器３２に接続され、かつ、圧縮機１２の吸入管１２ｂが室外側熱交換器１４に接続された状態となる。また、このとき、二方弁１９および三方弁２０は開状態とされている。この状態で、圧縮機１２が起動されると、ガス冷媒が、圧縮機１２に吸入され、圧縮された後、四路切換弁１３および三方弁２０を経由して室内側熱交換器３２に供給され、室内空気を加熱すると共に凝縮されて液冷媒となる。その後、この液冷媒は、三方弁１９を経由して膨張弁１５に送られ、減圧されて気液二相状態となる。気液二相状態の冷媒は、室外側熱交換器１４に送られて、室外側熱交換器１４において蒸発させられてガス冷媒となる。最後に、そのガス冷媒は、四路切換弁１３を経由して、再び、圧縮機１２に吸入される。
【００５１】
＜熱中症抑制・防寒対策制御＞
本実施の形態にかかる空気調和機１は、ユーザによってリモートコントローラ５０の自動運転ボタンが押圧されると自動運転モードとなり、熱中症抑制・防寒対策制御を実行する。以下、図４から７に基づいてこの熱中症抑制・防寒対策制御について詳述する。
【００５２】
図４において、先ず、ステップＳ１０１では、中央処理演算部２９ｂが、通信部２９ｃにおいて人検出部３５ｄから人検出信号が受信されたか否かを判断する。ここで、中央処理演算部２９ｂが、通信部２９ｃにおいて人検出部３５ｄから人検出信号が受信されたと判断した場合、中央処理演算部２９ｂは、ステップＳ１０２の処理に進む。一方、中央処理演算部２９ｂが、通信部２９ｃにおいて人検出部３５ｄから人検出信号が受信されていないと判断した場合（すなわち、中央処理演算部２９ｂが、通信部２９ｃにおいて人検出部３５ｄから人非検出信号が受信されたと判断した場合）、中央処理演算部２９ｂは、ステップＳ１１２の処理に進む。
【００５３】
ステップＳ１０２では、中央処理演算部２９ｂが、温度検出器３７からその時点の室内温度Ｔｉを受信すると共に記憶部２９ａから冷房時第１基準室内温度Ｔｉｃ１を読み出した後、その室内温度Ｔｉが冷房時第１基準室内温度Ｔｉｃ１以上であるか否かを判断する。ここで、中央処理演算部２９ｂが、室内温度Ｔｉが冷房時第１基準室内温度Ｔｉｃ１以上であると判断した場合、中央処理演算部２９ｂは、ステップＳ１０３の処理に進む。一方、中央処理演算部２９ｂが、室内温度Ｔｉが冷房時第１基準室内温度Ｔｉｃ１未満であると判断した場合、中央処理演算部２９ｂは、ステップＳ１２１の処理に進む（図５参照）。
【００５４】
ステップＳ１０３では、中央処理演算部２９ｂが、記憶部２９ａからその時点の稼働状態の情報を読み出して、その稼働状態が待機状態であるか否かを判断する。なお、本空気調和機１は、運転状態、待機状態および停止状態の３つの状態を取り得る。待機状態では、室内側制御器３５ａの室内側制御器３５（人検出部３５ｄを含む）は稼働状態となっているが、他の構成機器は停止状態となっている。そして、ここで、中央処理演算部２９ｂが、稼働状態が待機状態であると判断した場合、中央処理演算部２９ｂは、ステップＳ１０４の処理に進む。一方、中央処理演算部２９ｂが、稼働状態が待機状態でないと判断した場合、中央処理演算部２９ｂは、ステップＳ１４１の処理に進む（図６参照）。
【００５５】
ステップＳ１０４では、中央処理演算部２９ｂが、空気調和機１を冷房運転させるべく、通信部２９ｃを介して圧縮機１２、四路切換弁１３、膨張機１５、室外側送風機１６、室内側送風機３４、水平フラップ３６ａ、垂直フラップ３６ｂ等に制御信号を送信する。なお、この処理終了後、中央処理演算部２９ｂは、ステップＳ１０５の処理に進む。また、このときの設定温度は、予め規定されていてもよし、外気温度や、室内温度、外気温度と室内温度との差等を利用して規定されてもよい。
【００５６】
ステップＳ１０５では、中央処理演算部２９ｂが、温度検出器３７からその時点の室内温度Ｔｉを受信すると共に記憶部２９ａから冷房時第２基準室内温度Ｔｉｃ２を読み出した後、その室内温度Ｔｉが冷房時第２基準室内温度Ｔｉｃ２未満であるか否かを判断する。ここで、中央処理演算部２９ｂが、室内温度Ｔｉが冷房時第２基準室内温度Ｔｉｃ２未満であると判断した場合、中央処理演算部２９ｂは、ステップＳ１０６の処理に進む。一方、中央処理演算部２９ｂが、室内温度Ｔｉが冷房時第２基準室内温度Ｔｉｃ２以上であると判断した場合、中央処理演算部２９ｂは、ステップＳ１０７の処理に進む。
【００５７】
ステップＳ１０６では、中央処理演算部２９ｂが、空気調和機１を待機状態とさせるべく、通信部２９ｃを介して圧縮機１２、四路切換弁１３、膨張機１５、室外側送風機１６、室内側送風機３４、水平フラップ３６ａ、垂直フラップ３６ｂ等に制御信号を送信する。なお、この処理終了後、中央処理演算部２９ｂは、一定時間経過後に再度、ステップＳ１０１の処理を実行する。
【００５８】
ステップＳ１０７では、中央処理演算部２９ｂが、通信部２９ｃにおいて人検出部３５ｄから人検出信号が受信されたか否かを判断する。ここで、中央処理演算部２９ｂが、通信部２９ｃにおいて人検出部３５ｄから人検出信号が受信されたと判断した場合、中央処理演算部２９ｂは、ステップＳ１０５の処理に戻る。一方、中央処理演算部２９ｂが、通信部２９ｃにおいて人検出部３５ｄから人検出信号が受信されていないと判断した場合（すなわち、中央処理演算部２９ｂが、通信部２９ｃにおいて人検出部３５ｄから人非検出信号が受信されたと判断した場合）、中央処理演算部２９ｂは、ステップＳ１０８の処理に進む。
【００５９】
ステップＳ１０８では、中央処理演算部２９ｂが、温度検出器２５からその時点の外気温度Ｔｏを受信すると共に記憶部２９ａから冷房時基準外気温度Ｔｏｃを読み出した後、その外気温度Ｔｏが冷房時基準外気温度Ｔｏｃ以上であるか否かを判断する。ここで、中央処理演算部２９ｂが、外気温度Ｔｏが冷房時基準外気温度Ｔｏｃ以上であると判断した場合、中央処理演算部２９ｂは、ステップＳ１０９の処理に進む。一方、中央処理演算部２９ｂが、外気温度Ｔｏが冷房時基準外気温度Ｔｏｃ未満であると判断した場合、中央処理演算部２９ｂは、ステップＳ１０６の処理に進む。
【００６０】
ステップＳ１０９では、中央処理演算部２９ｂが、タイマ２９ｄを動作させて時間計測を開始させる。なお、この処理終了後、中央処理演算部２９ｂは、ステップＳ１１０の処理を実行する。
【００６１】
ステップＳ１１０では、中央処理演算部２９ｂが、調和空気を躯体に直接吹き付けるべく、通信部２９ｃを介して水平フラップ３６ａおよび垂直フラップ３６ｂに制御信号を送信して、水平風向板の角度を冷房時天井吹付水平風向板角度に設定すると共に垂直風向板の角度を壁吹付垂直風向板角度に設定する。なお、この処理終了後、中央処理演算部２９ｂは、ステップＳ１１１の処理に進む。
【００６２】
ステップＳ１１１では、中央処理演算部２９ｂが、タイマ２９ｄからカウント時間情報を受信する共に記憶部２９ａから第１基準時間ｔｓ１を読み出して、カウント時間ｔが第１基準時間ｔｓ１に達したか否かを判断する。ここで、中央処理演算部２９ｂが、カウント時間ｔが第１基準時間ｔｓ１に達したと判断した場合、中央処理演算部２９ｂは、ステップＳ１０６の処理に進む。一方、中央処理演算部２９ｂが、カウント時間ｔが第１基準時間ｔｓ１に達していないと判断した場合、中央処理演算部２９ｂは、ステップＳ１１１の処理に戻る。なお、このときの第１基準時間ｔｓ１は、予め規定されているものそのものであってもよし、外気温度や、室内温度、外気温度と室内温度との差でその規定値を補正したものであってもよい。
【００６３】
ステップＳ１１２では、中央処理演算部２９ｂが、温度検出器２５からその時点の外気温度Ｔｏを受信すると共に記憶部２９ａから冷房時基準外気温度Ｔｏｃを読み出した後、その外気温度Ｔｏが冷房時基準外気温度Ｔｏｃ以上であるか否かを判断する。ここで、中央処理演算部２９ｂが、外気温度Ｔｏが冷房時基準外気温度Ｔｏｃ以上であると判断した場合、中央処理演算部２９ｂは、ステップＳ１１３の処理に進む。一方、中央処理演算部２９ｂが、外気温度Ｔｏが冷房時基準外気温度Ｔｏｃ未満であると判断した場合、中央処理演算部２９ｂは、ステップＳ１５１の処理に進む（図７参照）。
【００６４】
ステップＳ１１３では、中央処理演算部２９ｂが、タイマ２９ｄを動作させて時間計測を開始させる。なお、この処理終了後、中央処理演算部２９ｂは、ステップＳ１１４の処理を実行する。
【００６５】
ステップＳ１１４では、中央処理演算部２９ｂが、空気調和機１を冷房運転させるべく、通信部２９ｃを介して圧縮機１２、四路切換弁１３、膨張機１５、室外側送風機１６、室内側送風機３４、水平フラップ３６ａ、垂直フラップ３６ｂ等に制御信号を送信する。なお、この処理終了後、中央処理演算部２９ｂは、ステップＳ１１５の処理に進む。また、このときの設定温度は、予め規定されていてもよし、外気温度や、室内温度、外気温度と室内温度との差等を利用して規定されてもよい。
【００６６】
ステップＳ１１５では、中央処理演算部２９ｂが、調和空気を躯体に直接吹き付けるべく、通信部２９ｃを介して水平フラップ３６ａおよび垂直フラップ３６ｂに制御信号を送信して、水平風向板の角度を冷房時天井吹付水平風向板角度に設定すると共に垂直風向板の角度を壁吹付垂直風向板角度に設定する。なお、この処理終了後、中央処理演算部２９ｂは、ステップＳ１１６の処理に進む。
【００６７】
ステップＳ１１６では、中央処理演算部２９ｂが、タイマ２９ｄからカウント時間情報を受信する共に記憶部２９ａから第２基準時間ｔｓ２を読み出して、カウント時間ｔが第２基準時間ｔｓ２に達したか否かを判断する。ここで、中央処理演算部２９ｂが、カウント時間ｔが第２基準時間ｔｓ２に達したと判断した場合、中央処理演算部２９ｂは、ステップＳ１０６の処理に進む。一方、中央処理演算部２９ｂが、カウント時間ｔが第２基準時間ｔｓ２に達していないと判断した場合、中央処理演算部２９ｂは、ステップＳ１１６の処理に戻る。なお、このときの第２基準時間ｔｓ２は、予め規定されているものそのものであってもよし、外気温度や、室内温度、外気温度と室内温度との差でその規定値を補正したものであってもよい。
【００６８】
図５において、ステップＳ１２１では、中央処理演算部２９ｂが、温度検出器３７からその時点の室内温度Ｔｉを受信すると共に記憶部２９ａから暖房時第１基準室内温度Ｔｉｗ１を読み出した後、その室内温度Ｔｉが暖房時第１基準室内温度Ｔｉｗ１以下であるか否かを判断する。ここで、中央処理演算部２９ｂが、室内温度Ｔｉが暖房時第１基準室内温度Ｔｉｗ１以下であると判断した場合、中央処理演算部２９ｂは、ステップＳ１２２の処理に進む。一方、中央処理演算部２９ｂが、室内温度Ｔｉが暖房時第１基準室内温度Ｔｉｗ１超であると判断した場合、中央処理演算部２９ｂは、ステップＳ１０１の処理に戻る。
【００６９】
ステップＳ１２２では、中央処理演算部２９ｂが、記憶部２９ａからその時点の稼働状態の情報を読み出して、その稼働状態が待機状態であるか否かを判断する。ここで、中央処理演算部２９ｂが、稼働状態が待機状態であると判断した場合、中央処理演算部２９ｂは、ステップＳ１２３の処理に進む。一方、中央処理演算部２９ｂが、稼働状態が待機状態でないと判断した場合、中央処理演算部２９ｂは、ステップＳ１２４の処理に進む。
【００７０】
ステップＳ１２３では、中央処理演算部２９ｂが、空気調和機１を暖房運転させるべく、通信部２９ｃを介して圧縮機１２、四路切換弁１３、膨張機１５、室外側送風機１６、室内側送風機３４、水平フラップ３６ａ、垂直フラップ３６ｂ等に制御信号を送信する。なお、この処理終了後、中央処理演算部２９ｂは、ステップＳ１２５の処理に進む。また、このときの設定温度は、予め規定されていてもよし、外気温度や、室内温度、外気温度と室内温度との差等を利用して規定されてもよい。
【００７１】
ステップＳ１２４では、中央処理演算部２９ｂが、記憶部２９ａからその時点の運転モードの情報を読み出して、その運転モードが暖房モードであるか否かを判断する。ここで、中央処理演算部２９ｂが、運転モードが暖房モードであると判断した場合、中央処理演算部２９ｂは、ステップＳ１０１の処理に戻る。一方、中央処理演算部２９ｂが、運転モードが暖房モードでないと判断した場合、中央処理演算部２９ｂは、ステップＳ１２３の処理に進む。
【００７２】
ステップＳ１２５では、中央処理演算部２９ｂが、温度検出器３７からその時点の室内温度Ｔｉを受信すると共に記憶部２９ａから暖房時第２基準室内温度Ｔｉｗ２を読み出した後、その室内温度Ｔｉが暖房時第２基準室内温度Ｔｉｗ２超であるか否かを判断する。ここで、中央処理演算部２９ｂが、室内温度Ｔｉが暖房時第２基準室内温度Ｔｉｗ２超であると判断した場合、中央処理演算部２９ｂは、ステップＳ１２６の処理に進む。一方、中央処理演算部２９ｂが、室内温度Ｔｉが暖房時第２基準室内温度Ｔｉｗ２以下であると判断した場合、中央処理演算部２９ｂは、ステップＳ１２７の処理に進む。
【００７３】
ステップＳ１２６では、中央処理演算部２９ｂが、空気調和機１を待機状態とさせるべく、通信部２９ｃを介して圧縮機１２、四路切換弁１３、膨張機１５、室外側送風機１６、室内側送風機３４、水平フラップ３６ａ、垂直フラップ３６ｂ等に制御信号を送信する。なお、この処理終了後、中央処理演算部２９ｂは、一定時間経過後に再度、ステップＳ１０１の処理を実行する。
【００７４】
ステップＳ１２７では、中央処理演算部２９ｂが、通信部２９ｃにおいて人検出部３５ｄから人検出信号が受信されたか否かを判断する。ここで、中央処理演算部２９ｂが、通信部２９ｃにおいて人検出部３５ｄから人検出信号が受信されたと判断した場合、中央処理演算部２９ｂは、ステップＳ１２５の処理に戻る。一方、中央処理演算部２９ｂが、通信部２９ｃにおいて人検出部３５ｄから人検出信号が受信されていないと判断した場合（すなわち、中央処理演算部２９ｂが、通信部２９ｃにおいて人検出部３５ｄから人非検出信号が受信されたと判断した場合）、中央処理演算部２９ｂは、ステップＳ１２８の処理に進む。
【００７５】
ステップＳ１２８では、中央処理演算部２９ｂが、温度検出器２５からその時点の外気温度Ｔｏを受信すると共に記憶部２９ａから暖房時基準外気温度Ｔｏｗを読み出した後、その外気温度Ｔｏが暖房時基準外気温度Ｔｏｗ以下であるか否かを判断する。ここで、中央処理演算部２９ｂが、外気温度Ｔｏが暖房時基準外気温度Ｔｏｗ以下であると判断した場合、中央処理演算部２９ｂは、ステップＳ１２９の処理に進む。一方、中央処理演算部２９ｂが、外気温度Ｔｏが暖房時基準外気温度Ｔｏｗ超であると判断した場合、中央処理演算部２９ｂは、ステップＳ１２６の処理に進む。
【００７６】
ステップＳ１２９では、中央処理演算部２９ｂが、タイマ２９ｄを動作させて時間計測を開始させる。なお、この処理終了後、中央処理演算部２９ｂは、ステップＳ１３０の処理を実行する。
【００７７】
ステップＳ１３０では、中央処理演算部２９ｂが、調和空気を躯体に直接吹き付けるべく、通信部２９ｃを介して水平フラップ３６ａおよび垂直フラップ３６ｂに制御信号を送信して、水平風向板の角度を暖房時床吹付水平風向板角度に設定すると共に垂直風向板の角度を壁吹付垂直風向板角度に設定する。なお、この処理終了後、中央処理演算部２９ｂは、ステップＳ１３１の処理に進む。
【００７８】
ステップＳ１３１では、中央処理演算部２９ｂが、タイマ２９ｄからカウント時間情報を受信する共に記憶部２９ａから第３基準時間ｔｓ３を読み出して、カウント時間ｔが第３基準時間ｔｓ３に達したか否かを判断する。ここで、中央処理演算部２９ｂが、カウント時間ｔが第３基準時間ｔｓ３に達したと判断した場合、中央処理演算部２９ｂは、ステップＳ１２６の処理に進む。一方、中央処理演算部２９ｂが、カウント時間ｔが第３基準時間ｔｓ３に達していないと判断した場合、中央処理演算部２９ｂは、ステップＳ１３１の処理に戻る。なお、このときの第３基準時間ｔｓ３は、予め規定されているものそのものであってもよし、外気温度や、室内温度、外気温度と室内温度との差でその規定値を補正したものであってもよい。
【００７９】
図６において、ステップＳ１４１では、中央処理演算部２９ｂが、記憶部２９ａからその時点の運転モードの情報を読み出して、その運転モードが冷房モードであるか否かを判断する。ここで、中央処理演算部２９ｂが、運転モードが冷房モードであると判断した場合、中央処理演算部２９ｂは、ステップＳ１０１の処理に戻る。一方、中央処理演算部２９ｂが、運転モードが冷房モードでないと判断した場合、中央処理演算部２９ｂは、ステップＳ１０４の処理に進む。
【００８０】
図７において、ステップＳ１５１では、中央処理演算部２９ｂが、温度検出器２５からその時点の外気温度Ｔｏを受信すると共に記憶部２９ａから暖房時基準外気温度Ｔｏｗを読み出した後、その外気温度Ｔｏが暖房時基準外気温度Ｔｏｗ以下であるか否かを判断する。ここで、中央処理演算部２９ｂが、外気温度Ｔｏが暖房時基準外気温度Ｔｏｗ以下であると判断した場合、中央処理演算部２９ｂは、ステップＳ１５２の処理に進む。一方、中央処理演算部２９ｂが、外気温度Ｔｏが暖房時基準外気温度Ｔｏｗ超であると判断した場合、中央処理演算部２９ｂは、ステップＳ１０１の処理に戻る。
【００８１】
ステップＳ１５２では、中央処理演算部２９ｂが、タイマ２９ｄを動作させて時間計測を開始させる。なお、この処理終了後、中央処理演算部２９ｂは、ステップＳ１５３の処理を実行する。
【００８２】
ステップＳ１５３では、中央処理演算部２９ｂが、空気調和機１を暖房運転させるべく、通信部２９ｃを介して圧縮機１２、四路切換弁１３、膨張機１５、室外側送風機１６、室内側送風機３４、水平フラップ３６ａ、垂直フラップ３６ｂ等に制御信号を送信する。なお、この処理終了後、中央処理演算部２９ｂは、ステップＳ１５４の処理に進む。また、このときの設定温度は、予め規定されていてもよし、外気温度や、室内温度、外気温度と室内温度との差等を利用して規定されてもよい。
【００８３】
ステップＳ１５４では、中央処理演算部２９ｂが、調和空気を躯体に直接吹き付けるべく、通信部２９ｃを介して水平フラップ３６ａおよび垂直フラップ３６ｂに制御信号を送信して、水平風向板の角度を暖房時床吹付水平風向板角度に設定すると共に垂直風向板の角度を壁吹付垂直風向板角度に設定する。なお、この処理終了後、中央処理演算部２９ｂは、ステップＳ１５５の処理に進む。
【００８４】
ステップＳ１５５では、中央処理演算部２９ｂが、タイマ２９ｄからカウント時間情報を受信する共に記憶部２９ａから第４基準時間ｔｓ４を読み出して、カウント時間ｔが第４基準時間ｔｓ４に達したか否かを判断する。ここで、中央処理演算部２９ｂが、カウント時間ｔが第４基準時間ｔｓ４に達したと判断した場合、中央処理演算部２９ｂは、ステップＳ１０６の処理に進む。一方、中央処理演算部２９ｂが、カウント時間ｔが第４基準時間ｔｓ４に達していないと判断した場合、中央処理演算部２９ｂは、ステップＳ１５５の処理に戻る。なお、このときの第４基準時間ｔｓ４は、予め規定されているものそのものであってもよし、外気温度や、室内温度、外気温度と室内温度との差でその規定値を補正したものであってもよい。
【００８５】
＜第１の実施の形態にかかる空気調和機の特徴＞
（１）
本実施の形態にかかる空気調和機１では、自動運転時において人検出部３５ｄによって人の存在が検出されず且つ外気温度Ｔｏが冷房時基準外気温度Ｔｏｃ以上である場合、中央処理演算部２９ｂが、調和空気（冷却空気）を躯体に直接吹き付けるべく、通信部２９ｃを介して水平フラップ３６ａおよび垂直フラップ３６ｂに制御信号を送信して、水平風向板の角度を冷房時天井吹付水平風向板角度に設定すると共に垂直風向板の角度を壁吹付垂直風向板角度に設定する。このため、この空気調和機１は、例えば、夏場の日中等、外気温度Ｔｏが高いときであって人が居ないときに日当たり良好な部屋において外壁や、天井、床等の躯体を直接冷却することによって室内温度Ｔｉが直ちに上昇してしまうことを抑制することができる。したがって、この空気調和機１は、上述の環境下において室内温度Ｔｉを所定温度まで下げる時間を短縮することができる。すなわち、人がその部屋に戻ってきたときに従前よりも素早く室内温度Ｔｉを低下させることができ、その人が熱中症になるリスクを低減することができる。
【００８６】
（２）
本実施の形態にかかる空気調和機１では、自動運転時において人検出部３５ｄによって人の存在が検出されず且つ外気温度Ｔｏが暖房時基準外気温度Ｔｏｗ以下である場合、中央処理演算部２９ｂが、調和空気（加熱空気）を躯体に直接吹き付けるべく、通信部２９ｃを介して水平フラップ３６ａおよび垂直フラップ３６ｂに制御信号を送信して、水平風向板の角度を暖房時床吹付水平風向板角度に設定すると共に垂直風向板の角度を壁吹付垂直風向板角度に設定する。このため、この空気調和機１は、例えば、冬場の朝や夜等、外気温度Ｔｏが低いときであって人が居ないときに日当たりが悪い部屋において外壁や、天井、床等の躯体を直接加熱することによって室内温度Ｔｉが直ちに低下してしまうことを抑制することができる。したがって、この空気調和機１は、上述の環境下において室内温度Ｔｉを所定温度まで上げる時間を短縮することができる。すなわち、ヒトがその部屋に戻ってきたときに従前よりも素早く室内温度Ｔｉを上昇させることができ、その人が風邪等になるリスクを低減することができる。
【００８７】
−第２の実施の形態−
第２の実施の形態にかかる空気調和機は、第１の実施の形態にかかる空気調和機１と熱中症抑制・防寒対策制御の態様で相違する。このため、本実施の形態にかかる空気調和機については、熱中症抑制・防寒対策制御のみを説明する。
【００８８】
＜熱中症抑制・防寒対策制御＞
本実施の形態に係る熱中症抑制・防寒対策制御では、先の実施の形態に係るステップＳ１０１において、中央処理演算部２９ｂが、通信部２９ｃにおいて人検出部３５ｄから人検出信号が受信されていないと判断した場合、中央処理演算部２９ｂが、ステップＳ１１２の処理に進まず、ステップＳ１０１に戻る（すなわち、ステップＳ１１２〜１１６およびステップＳ１５１〜１５５の処理が省略される。）。
【００８９】
＜第２の実施の形態にかかる空気調和機の特徴＞
本実施の形態にかかる空気調和機では、自動運転開始時において人が居るときになって初めて処理が開始される。このため、この空気調和機は、第１の実施の形態にかかる空気調和機よりも省エネルギーに貢献することができる。
【００９０】
−第３の実施の形態−
第３の実施の形態にかかる空気調和機は、熱中症抑制・防寒対策制御の風向制御の態様で第１の実施の形態にかかる空気調和機１と相違する。このため、本実施の形態にかかる空気調和機については、風向制御のみを説明する。なお、本実施の形態は、第２の実施の形態にも適用することができる。
【００９１】
先ず、本実施の形態にかかる空気調和機において、記憶部２９ａには、第１の実施の形態に記載の情報に加えて、冷房時天井吹付水平風向板可動角度範囲、暖房時床吹付水平風向板可動角度範囲、壁吹付垂直風向板可動角度範囲の情報が格納される。ここで、冷房時天井吹付水平風向板可動角度範囲は、冷房自動運転時に水平フラップ３６ａの水平風向板が冷房時天井吹付水平風向板角度とされた場合におけるスイング角度範囲を規定したものであって、自動運転以外の運転モードにおける水平フラップ３６ａの水平風向板の可動角度範囲の最大角度よりも大きい角度範囲とされている。暖房時床吹付水平風向板可動角度範囲は、暖房自動運転時に水平フラップ３６ａの水平風向板が暖房時床吹付水平風向板角度とされた場合におけるスイング角度範囲を規定したものであって、自動運転以外の運転モードにおける水平フラップ３６ａ（後述）の水平風向板の可動角度範囲よりも小さい角度範囲とされている。壁吹付垂直風向板可動角度は、自動運転時に垂直フラップ３６ｂの垂直風向板が壁吹付垂直風向板角度とされた場合におけるスイング角度範囲を規定したものであって、自動運転以外の運転モードにおける垂直フラップ３６ｂの垂直風向板の可動角度範囲の外側の角度範囲とされている。
【００９２】
そして、ステップＳ１１０およびＳ１１５では、中央処理演算部２９ｂが、調和空気（冷却空気）を躯体に直接吹き付けるべく、通信部２９ｃを介して水平フラップ３６ａおよび垂直フラップ３６ｂに制御信号を送信して、水平風向板を冷房時天井吹付水平風向板可動角度範囲内でスイングさせると共に垂直風向板を壁吹付垂直風向板可動角度範囲内でスイングさせる。
【００９３】
また、ステップＳ１３０およびＳ１５４では、中央処理演算部２９ｂが、調和空気（加熱空気）を躯体に直接吹き付けるべく、通信部２９ｃを介して水平フラップ３６ａおよび垂直フラップ３６ｂに制御信号を送信して、水平風向板を暖房時床吹付水平風向板可動角度範囲内でスイングさせると共に垂直風向板を壁吹付垂直風向板可動角度範囲内でスイングさせる。
【００９４】
＜第３の実施の形態にかかる空気調和機の特徴＞
本実施の形態にかかる空気調和機では躯体に直接調和空気を吹き付ける際において水平フラップ３６ａおよび垂直フラップ３６ｂをスイングさせる。このため、この空気調和機では、躯体を効率よく冷却または加熱することができると共に躯体が傷むことを抑制することができる。
【００９５】
−第４の実施の形態−
第４の実施の形態にかかる空気調和機は、熱中症抑制・防寒対策制御の風向制御保持条件で第１の実施の形態にかかる空気調和機と相違する。このため、本実施の形態にかかる空気調和機については、熱中症抑制・防寒対策制御の風向制御保持条件についてのみ説明する。なお、本実施の形態は、第２および第３の実施の形態にも適用することができる。
【００９６】
＜熱中症抑制・防寒対策制御＞
本実施の形態に係る熱中症抑制・防寒対策制御では、先の実施の形態に係るステップＳ１０９、Ｓ１１３、Ｓ１２９、Ｓ１５２が省略されると共に、ステップＳ１１１およびＳ１１６で中央処理演算装置２９ｂが下記（１）の通りに処理を実行し、ステップＳ１３１およびＳ１５５で中央処理演算装置２９ｂが下記（２）の通りに処理を実行する。
【００９７】
（１）
ステップＳ１１１またはＳ１１６では、中央処理演算装置２９ｂが、温度検出器３７からその時点の室内温度Ｔｉを受信する共に記憶部２９ａから躯体冷却停止基準室内温度Ｔｔｃを読み出して、室内温度Ｔｉが躯体冷却停止基準室内温度Ｔｔｃ未満であるか否かを判断する。ここで、中央処理演算部２９ｂが、室内温度Ｔｉが躯体冷却停止基準室内温度Ｔｔｃ未満であると判断した場合、中央処理演算部２９ｂは、ステップＳ１０６の処理に進む。一方、中央処理演算部２９ｂが、室内温度Ｔｉが躯体冷却停止基準室内温度Ｔｔｃ以上であると判断した場合、中央処理演算部２９ｂは、ステップＳ１１１またはＳ１１６の処理に戻る。
【００９８】
（２）
ステップＳ１３１およびＳ１５５では、中央処理演算装置２９ｂが、温度検出器３７からその時点の室内温度Ｔｉを受信する共に記憶部２９ａから躯体加熱停止基準室内温度Ｔｔｗを読み出して、室内温度Ｔｉが躯体冷却停止基準室内温度Ｔｔｗ超であるか否かを判断する。ここで、中央処理演算部２９ｂが、室内温度Ｔｉが躯体加熱停止基準室内温度Ｔｔｗ超であると判断した場合、中央処理演算部２９ｂは、ステップＳ１２６またはＳ１０６の処理に進む。一方、中央処理演算部２９ｂが、室内温度Ｔｉが躯体加熱停止基準室内温度Ｔｔｗ以下であると判断した場合、中央処理演算部２９ｂは、ステップＳ１３１またはＳ１５５の処理に戻る。
【００９９】
＜第４の実施の形態にかかる空気調和機の特徴＞
本実施の形態にかかる空気調和機では、躯体冷却および躯体加熱の停止条件が、室内温度Ｔｉが躯体冷却停止基準室内温度Ｔｔｃを下回ったとき又は室内温度Ｔｉが躯体加熱停止基準室内温度Ｔｔｗを上回ったときとされている。このため、この空気調和機では、躯体冷却時、躯体加熱時に所望の温度まで躯体を冷却または加熱することができる。
−第５の実施の形態−
第５の実施の形態にかかる空気調和機は、熱中症抑制・防寒対策制御の風向制御保持条件で第１の実施の形態にかかる空気調和機と相違する。このため、本実施の形態にかかる空気調和機については、熱中症抑制・防寒対策制御の風向制御保持条件についてのみ説明する。なお、本実施の形態は、第２および第３の実施の形態にも適用することができる。
【０１００】
＜熱中症抑制・防寒対策制御＞
本実施の形態に係る熱中症抑制・防寒対策制御では、先の実施の形態に係るステップＳ１０９、Ｓ１１３、Ｓ１２９、Ｓ１５２が省略されると共に、ステップＳ１１１およびＳ１１６で中央処理演算装置２９ｂが下記（１）の通りに処理を実行し、ステップＳ１３１およびＳ１５５で中央処理演算装置２９ｂが下記（２）の通りに処理を実行する。なお、本実施の形態では、壁温検出器が設けられるが、この壁温検出器は、壁の温度を検出するものである。
【０１０１】
（１）
ステップＳ１１１またはＳ１１６では、中央処理演算装置２９ｂが、壁温検出器からその時点の壁温度Ｔｈを受信する共に記憶部２９ａから躯体冷却停止基準壁温度Ｔｈｃを読み出して、壁温度Ｔｈが躯体冷却停止基準壁温度Ｔｈｃ未満であるか否かを判断する。ここで、中央処理演算部２９ｂが、壁温度Ｔｈが躯体冷却停止基準壁温度Ｔｈｃ未満であると判断した場合、中央処理演算部２９ｂは、ステップＳ１０６の処理に進む。一方、中央処理演算部２９ｂが、壁温度Ｔｈが躯体冷却停止基準壁温度Ｔｈｃ以上であると判断した場合、中央処理演算部２９ｂは、ステップＳ１１１またはＳ１１６の処理に戻る。
【０１０２】
（２）
ステップＳ１３１およびＳ１５５では、中央処理演算装置２９ｂが、壁温検出器からその時点の壁温度Ｔｈを受信する共に記憶部２９ａから躯体加熱停止基準壁温度Ｔｈｗを読み出して、壁温度Ｔｈが躯体冷却停止基準壁温度Ｔｈｗ超であるか否かを判断する。ここで、中央処理演算部２９ｂが、壁温度Ｔｈが躯体加熱停止基準壁温度Ｔｈｗ超であると判断した場合、中央処理演算部２９ｂは、ステップＳ１２６またはＳ１０６の処理に進む。一方、中央処理演算部２９ｂが、壁温度Ｔｈが躯体加熱停止基準壁温度Ｔｈｗ以下であると判断した場合、中央処理演算部２９ｂは、ステップＳ１３１またはＳ１５５の処理に戻る。
【０１０３】
＜第５の実施の形態にかかる空気調和機の特徴＞
本実施の形態にかかる空気調和機では、躯体冷却および躯体加熱の停止条件が、壁温度Ｔｈが躯体冷却停止基準壁温度Ｔｈｃを下回ったとき又は壁温度Ｔｈが躯体加熱停止基準壁温度Ｔｈｗを上回ったときとされている。このため、この空気調和機では、躯体冷却時、躯体加熱時に所望の温度まで躯体を冷却または加熱することができる。
【０１０４】
−第６の実施の形態−
第６の実施の形態にかかる空気調和機は、熱中症抑制・防寒対策制御の風向制御保持条件で第１の実施の形態にかかる空気調和機と相違する。このため、本実施の形態にかかる空気調和機については、熱中症抑制・防寒対策制御の風向制御保持条件についてのみ説明する。なお、本実施の形態は、第２および第３の実施の形態にも適用することができる。
【０１０５】
＜熱中症抑制・防寒対策制御＞
本実施の形態に係る熱中症抑制・防寒対策制御では、先の実施の形態に係るステップＳ１０９、Ｓ１１３、Ｓ１２９、Ｓ１５２が省略されると共に、ステップＳ１１１およびＳ１１６で中央処理演算装置２９ｂが下記（１）の通りに処理を実行し、ステップＳ１３１およびＳ１５５で中央処理演算装置２９ｂが下記（２）の通りに処理を実行する。
【０１０６】
（１）
ステップＳ１１１またはＳ１１６では、中央処理演算装置２９ｂが、温度検出器２５からその時点の外気温度Ｔｏを受信する共に記憶部２９ａから躯体冷却停止基準外気温度Ｔｐｃを読み出して、外気温度Ｔｏが躯体冷却停止基準外気温度Ｔｐｃ未満であるか否かを判断する。ここで、中央処理演算部２９ｂが、外気温度Ｔｏが躯体冷却停止基準外気温度Ｔｐｃ未満であると判断した場合、中央処理演算部２９ｂは、ステップＳ１０６の処理に進む。一方、中央処理演算部２９ｂが、外気温度Ｔｏが躯体冷却停止基準外気温度Ｔｐｃ以上であると判断した場合、中央処理演算部２９ｂは、ステップＳ１１１またはＳ１１６の処理に戻る。
【０１０７】
（２）
ステップＳ１３１およびＳ１５５では、中央処理演算装置２９ｂが、温度検出器２５からその時点の外気温度Ｔｏを受信する共に記憶部２９ａから躯体加熱停止基準外気温度Ｔｐｗを読み出して、外気温度Ｔｏが躯体加熱停止基準外気温度Ｔｐｗ超であるか否かを判断する。ここで、中央処理演算部２９ｂが、外気温度Ｔｏが躯体加熱停止基準外気温度Ｔｐｗ超であると判断した場合、中央処理演算部２９ｂは、ステップＳ１２６またはＳ１０６の処理に進む。一方、中央処理演算部２９ｂが、外気温度Ｔｏが躯体加熱停止基準外気温度Ｔｐｗ以下であると判断した場合、中央処理演算部２９ｂは、ステップＳ１３１またはＳ１５５の処理に戻る。
＜第６の実施の形態にかかる空気調和機の特徴＞
本実施の形態にかかる空気調和機では、躯体冷却および躯体加熱の停止条件が、外気温度Ｔｏが躯体冷却停止基準外気温度Ｔｐｃを下回ったとき又は外気温度Ｔｏが躯体加熱停止基準外気温度Ｔｐｗを上回ったときとされている。このため、この空気調和機では、躯体冷却時、躯体加熱時に外気温度Ｔｏが十分に下がり切る又は上がり切るまで躯体を冷却または加熱することができる。
【０１０８】
−第７の実施の形態−
第７の実施の形態にかかる空気調和機は、熱中症抑制・防寒対策制御の風向制御保持条件で第１の実施の形態にかかる空気調和機と相違する。このため、本実施の形態にかかる空気調和機については、熱中症抑制・防寒対策制御の風向制御保持条件についてのみ説明する。なお、本実施の形態は、第２および第３の実施の形態にも適用することができる。
【０１０９】
＜熱中症抑制・防寒対策制御＞
本実施の形態に係る熱中症抑制・防寒対策制御では、先の実施の形態に係るステップＳ１０９、Ｓ１１３、Ｓ１２９、Ｓ１５２が省略されると共に、ステップＳ１１１およびＳ１１６で中央処理演算装置２９ｂが下記（１）の通りに処理を実行し、ステップＳ１３１およびＳ１５５で中央処理演算装置２９ｂが下記（２）の通りに処理を実行する。
【０１１０】
（１）
ステップＳ１１１またはＳ１１６では、中央処理演算装置２９ｂが、温度検出器３７からその時点の室内温度Ｔｉを受信する共に温度検出器２５からその時点の外気温度Ｔｏを受信した後、その差（Ｔｏ−Ｔｉ）を算出し、その差が躯体冷却停止基準温度差ΔＴｃ未満であるか否かを判断する。ここで、中央処理演算部２９ｂが、その差が躯体冷却停止基準温度差ΔＴｃ未満であると判断した場合、中央処理演算部２９ｂは、ステップＳ１０６の処理に進む。一方、中央処理演算部２９ｂが、その差が躯体冷却停止基準温度差ΔＴｃ以上であると判断した場合、中央処理演算部２９ｂは、ステップＳ１１１またはＳ１１６の処理に戻る。
【０１１１】
（２）
ステップＳ１３１およびＳ１５５では、中央処理演算装置２９ｂが、温度検出器３７からその時点の室内温度Ｔｉを受信する共に温度検出器２５からその時点の外気温度Ｔｏを受信した後、その差（Ｔｉ−Ｔｏ）を算出し、その差が躯体加熱停止基準温度差ΔＴｗ超であるか否かを判断する。ここで、中央処理演算部２９ｂが、その差が躯体加熱停止基準温度差ΔＴｗ未満であると判断した場合、中央処理演算部２９ｂは、ステップＳ１２６またはＳ１０６の処理に進む。一方、中央処理演算部２９ｂが、その差が躯体加熱停止基準温度差ΔＴｗ以上であると判断した場合、中央処理演算部２９ｂは、ステップＳ１３１またはＳ１５５の処理に戻る。
＜第７の実施の形態にかかる空気調和機の特徴＞
本実施の形態にかかる空気調和機では、躯体冷却および躯体加熱の停止条件が、室内温度Ｔｉと外気温度Ｔｏの差が躯体冷却停止基準温度差ΔＴｃを下回ったときとされている。このため、この空気調和機では、躯体冷却時、躯体加熱時に外気温度Ｔｏと室内温度Ｔｉとが一定の差になるまで躯体を冷却または加熱することができる。
【０１１２】
−第８の実施の形態−
第９の実施の形態にかかる空気調和機は、人検知部３５ｄが設けられない点で第１の実施の形態にかかる空気調和機１と相違する。なお、本実施の形態は、第２の実施の形態から第７の実施の形態のいずれの形態にも適用することができる。
【０１１３】
すなわち、ステップＳ１０１〜Ｓ１０５、ステップＳ１０７〜Ｓ１１１、ステップＳ１２１〜Ｓ１２６、ステップＳ１４１が全て省略され、処理は、ステップＳ１１２から出発することになる。
＜第８の実施の形態にかかる空気調和機の特徴＞
本実施の形態にかかる空気調和機では、人検出部３５ｄが設けられていない。したがって、この空気調和機では、自動運転が開始されると、人の存否に関わらず、外気温度Ｔｏが冷房時基準外気温度Ｔｏｃ以上であれば、第２基準時間ｔｓ２の間、自動的に冷房運転が実施され、外気温度Ｔｏが暖房時基準外気温度Ｔｏｗ以下であれば、第２基準時間ｔｓ２の間、自動的に暖房運転が実施される。このため、この空気調和機では、人が退出するときに自動運転ボタンを押圧するようにすれば、部屋に戻ってきた際に部屋の温度が上がりすぎていたり下がりすぎていたりするのを防止することができる。
【０１１４】
−第９の実施の形態−
第９の実施の形態にかかる空気調和機は、リモートコントローラに自動運転ボタンとは別に熱中症抑制・防寒対策ボタンが設けられ、ユーザによってリモートコントローラ５０の熱中症抑制・防寒対策ボタンが押圧されたときに、図４〜７のフローチャートにかかる一連の処理が実行される点で第１の実施の形態にかかる空気調和機１と相違する。なお、本実施の形態は、第２の実施の形態から第８の実施の形態のいずれの形態にも適用することができる。
＜第９の実施の形態にかかる空気調和機の特徴＞
本実施の形態にかかる空気調和機ではリモートコントローラに熱中症抑制・防寒対策ボタンが設けられる。このため、ユーザは、意識的に熱中症抑制・防寒対策を行うことができる。
【０１１５】
−第１０の実施の形態−
第１０の実施の形態にかかる空気調和機は、セパレート式ではなく一体型の空気調和機（例えば、床置式や窓枠取付式）である点で第１の実施の形態にかかる空気調和機１と相違する。なお、このような態様は、第２〜第９の実施の形態にも適用可能である。
【０１１６】
−第１１の実施の形態−
第１１の実施の形態にかかる空気調和機は、ヒートポンプ式ではなく他の形式（暖房機であればヒータ式暖房機、ガス暖房機、石油暖房機など。冷房機であればガス冷房機など）である点で第１の実施の形態にかかる空気調和機１と相違する。なお、このような態様は、第２〜第１０の実施の形態にも適用可能である。
【０１１７】
−第１２の実施の形態−
第１２の実施の形態は、第１〜１１の実施の形態にかかる空気調和機に、屋内外のサーバや、スマート家電製品、スマートフォン等の携帯端末（以下「外部情報機器」と称する）が通信接続される点で第１の実施の形態と相違する。なお、このような態様は、第２〜第１１の実施の形態にも適用可能である。かかる場合、外部情報機器は、空気調和機の制御部６０と通信接続され、その制御部６０と共同して熱中症抑制・防寒対策制御を実行する。例えば、外部情報機器が制御部６０を介して空気調和機構２を遠隔制御するようにしてもよいし、外部情報機器に制御パラメータの情報を持たせ、その制御パラメータの情報を外部情報機器から制御部６０に提供するようにしてもよい。また、かかる場合、外部情報機器は、空気調和機には常時接続されていてもよい。かかる場合、外気温度Ｔｏは、気象庁のサーバ等の外部サーバから取得してもよい。
【０１１８】
−第１３の実施の形態−
第１３の実施の形態は、ユーザによってリモートコントローラ５０の自動運転ボタンが押圧されなくても、熱中症抑制・防寒対策制御を実行する点で第１の実施の形態と相違する。なお、このような態様は、第２〜第１２の実施の形態にも適用可能である。かかる場合、図４〜図７のフローチャートに体現されるシーケンスが通常の制御シーケンスに組み込まれることになる。
【０１１９】
−第１４の実施の形態−
第１３の実施の形態は、待機状態が一定時間以上継続したら停止状態になる点で第１の実施の形態と相違する。なお、このような態様は、第２〜第１３の実施の形態にも適用可能である。具体的には、待機状態となった時点からの時間をタイマ２９ｄで計測することによって実現することができる。
−その他の応用例−
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。例えば、本実施の形態では冷暖房可能な空気調和機にて本発明を説明したが、冷房運転に関係するものは冷房専用機器に適用することができ、暖房運転に関係するものは暖房専用機器に適用することができる。
【符号の説明】
【０１２０】
１        ：空気調和機
２        ：空気調和機構
２５        ：温度検出器（外気温度情報取得部）
２９ａ      ：記憶部（第１情報記憶部，第２情報記憶部）
３５ｄ      ：人検出部（存否判断部）
３６ａ      ：水平フラップ（吹出方向調節機構）
３６ｂ      ：垂直フラップ（吹出方向調節機構）
６０        ：制御部
Ｔｏ          ：外気温度
Ｔｏｃ        ：冷房時基準外気温度（閾値）
Ｔｏｗ        ：暖房時基準外気温度（閾値）
【図１】
2015230122.tif 000003
【図２】
2015230122.tif 000004
【図３】
2015230122.tif 000005
【図４】
2015230122.tif 000006
【図５】
2015230122.tif 000007
【図６】
2015230122.tif 000008
【図７】
2015230122.tif 000009